(57)【要約】【課題】この発明は、履物内に敷設して使用者の好みに応じた適度な刺激を足裏に与えて足裏マッサージ効果を得ることができる履物用中敷１００を提供することを目的とする。【解決手段】履物の中に敷設されるシート部１０１と、該シート部の底部に設けられた複数の突起部１０２と調整用突起１０３や調整用突起４０３を備えることを特徴とする。【選択図】図１
2011239918.tif 000002
【特許請求の範囲】
【請求項１】
履物の中に敷設されるシート部と、
該シート部の底部に設けられた複数の凸部を備えた
履物用中敷。
【請求項２】
前記シート部は、
柔軟性のある樹脂部材で形成された、
請求項１に記載の履物用中敷。
【請求項３】
前記凸部は、
弾性力のある樹脂部材で形成された、
請求項１または２に記載の履物用中敷。
【請求項４】
前記凸部は、
金属または磁石で形成された
請求項１または２に記載の履物用中敷。
【請求項５】
前記凸部は、
前記シート部と別部品で構成し、
前記シート部に前記凸部の着脱を行う着脱部を備えた
請求項１から４のいずれかに１つに記載の履物用中敷。
【発明の詳細な説明】
【技術分野】
【０００１】
この発明は、例えば履物の中敷に用いるような履物用中敷に関する。
【背景技術】
【０００２】
履物用中敷（インソール）として、長時間着用すると履物内が蒸れて臭いが出易い革靴などの防臭や通気性向上を目的としたものや、膝などへの負担軽減を目的としてクッション性を追求したものなど様々な機能を有する製品が提供されている。
【０００３】
このうち、足裏のマッサージ効果を謳う履物用中敷も提案されている。従来より、体の各器官とつながる神経が集中している足裏を何らかの手段で刺激して健康促進を図る健康法が知られている。例えば、青竹踏みや足ツボマッサージなどが知られているが、足裏のマッサージ効果を謳う履物用中敷は、履物用中敷の足裏側に設けた様々な形状の凸部で足裏を刺激することで同様の効果を狙ったものである（特許文献１参照）。
【０００４】
しかし、足裏のマッサージ効果を謳う履物用中敷は、足裏側に設けた凸部が直接足裏に刺激を与えていることから、使用者によっては足裏への刺激が強すぎたり、不快と感じるなどの問題点がある。
【先行技術文献】
【特許文献】
【０００５】
【特許文献１】特開平０６−００７２０７号公報
【発明の概要】
【発明が解決しようとする課題】
【０００６】
この発明は、上述の問題点に鑑み、履物内に敷設して使用者の好みに応じた適度な刺激を足裏に与えて足裏マッサージ効果を得ることができる履物用中敷を提供することを目的とする。
【課題を解決するための手段】
【０００７】
この発明は、履物の中に敷設されるシート部と、該シート部の底部に設けられた複数の凸部を備えることを特徴とする。
【０００８】
この発明により、凸部による刺激は、シート部を介することで緩和して足裏に伝えられる。
【０００９】
また、この発明の態様として、前記シート部は、柔軟性のある樹脂部材で形成される。
【００１０】
これにより、シート部は、シート部の厚み方向にかかる荷重に対して柔軟に変形することができる。また、後述する足裏に刺激を与える凸部とシート部の柔軟性により、シート部の足裏側平面には緩やかな凹凸が形成され、足裏には緩和された凸部の刺激が与えられる。
【００１１】
この発明の態様として、前記凸部は、弾性力のある樹脂部材で形成される。
【００１２】
これにより、凸部は、シート部の厚み方向にかかる荷重に対して弾性的に変形することができる。また、凸部と素材の弾性力により、使用者は、足裏への刺激を得ることができる。
【００１３】
また、この発明の態様として、前記凸部は、金属または磁石で形成される。
【００１４】
これにより、凸部は、足裏に対して樹脂部材よりも強い刺激を与えることができる。また、凸部に磁石を使用した場合、使用者は、凸部による足裏への刺激だけでなく磁石による磁気効果も得ることができる。
【００１５】
また、この発明の態様として、前記凸部は、前記シート部と別部品で構成し、前記シート部に前記凸部の着脱を行う着脱部を備えることができる。
【００１６】
これにより、使用者は、異なる厚みの凸部を自由に組合せて好みに応じた刺激を得ることができる。また、使用者は、刺激を得たい任意の位置にだけ凸部を設けることもできる。
【発明の効果】
【００１７】
この発明により、履物内に敷設して使用者の好みに応じた適度な刺激を足裏に与えて足裏マッサージ効果を得ることができる履物用中敷を提供することができる。
【図面の簡単な説明】
【００１８】
【図１】履物用中敷の外観を示す履物底部側からの斜視図である。
【図２】図１のＡ−Ａ部分を示す部分断面図である。
【図３】図２の押圧時の状態を示す部分断面図である。
【図４】足裏反射区が描画された履物用中敷の外観を示す履物底部側からの斜視図である。
【発明を実施するための形態】
【００１９】
この発明の一実施形態を以下図面と共に説明する。  
【実施例】
【００２０】
図１は、履物用中敷の外観を示す履物底部側からの斜視図であり、図２は、図１のＡ−Ａ部分を示す部分断面図であり、図３は、図２の押圧時の状態を示す部分断面図であり、図４は、足裏反射区が描画された履物用中敷の外観を示す履物底部側からの斜視図である。
【００２１】
図１に示すように、履物用中敷１００は、履物の中に敷設される一様な厚みを持つシート部１０１と、シート部１０１の履物底部側平面に設けられた突起部１０２と、突起部１０２に嵌入して突起の高さを調整する調整用突起１０３と、シート部１０１の足裏側平面に接着固定された不織布１０４とで構成される。
【００２２】
シート部１０１は、履物の中にはみ出さずに敷設できる大きさで、足裏の輪郭形状に形成されている。
【００２３】
突起部１０２は、シート部１０１と一体形成された一様な高さの円柱状突起で、シート部１０１の履物底部側平面に等間隔で複数設けられている。また、突起部１０２の中央には、調整用突起１０３との着脱部として厚み方向に凹部１０２ａを設けている。
【００２４】
調整用突起１０３は、突起部１０２と同径の円柱である。また、突起部１０２と接する面には、突起部１０２の凹部１０２ａと嵌合する凸部１０３ａを厚み方向に設けている。
【００２５】
図２に示すように、突起部１０２の凹部１０２ａに調整用突起１０３の凸部１０３ａが嵌合している。凹部１０２ａの側面１０２ｂおよび凸部１０３ａの側面１０３ｂは、緩やかなテーパー状となっている。
【００２６】
突起部１０２の凹部１０２ａと調整用突起１０３の凸部１０３ａが嵌合すると、両側面の摩擦抵抗により調整用突起１０３は、突起部１０２の凹部１０２ａから容易に抜け落ちないようになる。これにより、履物に敷設する際や歩行中に調整用突起１０３が、突起部１０２から脱落するのを防止することができる。
【００２７】
図３に示すように、履物用中敷１００を履物の中に敷設して足Ｆの裏側によって矢印Ｙに示す履物底部Ｔ側へ押圧されると、履物用中敷１００は、履物底部Ｔと足Ｆの裏側に沿うように変形する。
【００２８】
このとき、シート部１０１と履物底部Ｔとの間には、突起部１０２や調整用突起１０３による凸凹が構成される。また、突起部１０２や調整用突起１０３は、押圧に対して素材の弾性力により厚み方向に弾性的に変形する。シート部１０１と履物底部Ｔの間に構成された凸凹と素材の弾性力により、使用者は、足Ｆの裏側に刺激を得ることができる。
【００２９】
しかし、足Ｆの裏側への刺激は、直接足Ｆの裏側に伝わるのではなくシート部１０１の厚みを介して緩和して伝わることとなる。また、押圧に対してシート部１０１は、突起部１０２と調整用突起１０３の高低差に追従して柔軟に変形している。これにより、シート部１０１の足Ｆの裏側と接する面には、緩やかな凹凸を持つ曲面が形成される。
【００３０】
このように、突起部１０２や調整用突起１０３からなる凸凹は、シート部１０１により緩やかな凹凸となり、その刺激は、緩和されて足Ｆの裏側に伝わることとなる。また、突起の高さ調整することができる調整用突起１０３を備えたことにより、使用者は、好みに応じた適度な刺激を足Ｆの裏側に得ることができる。
【００３１】
実施例では、使用者が直接樹脂部材に触れることなく素足でも履き心地を得られるよう、シート部１０１の足Ｆの裏側と接する平面に不織布を接着固定しているが、不織布以外に畳素材などを用いてもよい。
【００３２】
調整用突起１０３は、刺激を調整するために数種類の厚みを使い分けて突起の高さを調整することができる。あるいは履物底部Ｔ側の面に凹部を設けて調整用突起１０３を複数段に重ねて調整することができるようにしてもよい。また、調整用突起１０３は、全ての突起部１０２に嵌入してもよいし、より強い刺激を得たい一部の突起部１０２のみ嵌入してもよい。これにより、使用者は、刺激の強さ、位置を好みに応じて自由に設定して使用することができる。
【００３３】
また、シート部１０１は、柔軟性のある樹脂部材で形成されているが、より柔軟性を得たい場合や通気性を向上させたい場合は、シート部１０１の平面に貫通穴を設けてもよい。
【００３４】
なお、履物用中敷１００は、突起部１０２のある面を履物底部Ｔ側にして使用することが前提ではあるが、使用者がより強い刺激を得たい場合は、左右を入れ替えて突起部１０２のある面を足Ｆと接する面として使用することもできる。
【００３５】
また、図４に示すように、履物用中敷４００は、調整用突起４０３と、一様な厚さで履物底部側平面に調整用突起４０３を嵌入する複数の凹部４０２を設けたシート部４０１とで構成してもよい。さらに、シート部４０１の履物底部側平面には、足ツボ位置を示す足裏反射区４０４が描画されており、使用者が足裏反射区４０４と自身の体調とを照し合せて調整用突起４０３を任意の位置に嵌入することができる履物用中敷４００としても使用することができる。
【００３６】
また、調整用突起４０３を樹脂部材ではなく金属で構成しより強い刺激が得られるようにしたり、あるいは磁石で構成し磁気効果が得られるようにしてもよい。
【００３７】
この発明の構成と、上述の実施形態との対応において、
この発明の凸部は、実施形態の突起部１０２、調整用突起１０３、４０３に対応し、
以下同様に、
着脱部は、凹部１０２ａ、４０２に対応するが、
この発明は、上述の実施形態の構成のみに限定されるものではなく、多くの実施の形態を得ることができる。
【産業上の利用可能性】
【００３８】
本発明は、履物の中に敷設してマッサージ効果を得るような履物用中敷に利用することができる。
【符号の説明】
【００３９】
１００，４００・・・履物用中敷
１０１，４０１・・・シート部
１０２・・・突起部
１０２ａ，４０２・・・凹部
１０３，４０３・・・調整用突起
【図１】
2011239918.tif 000003
【図２】
2011239918.tif 000004
【図３】
2011239918.tif 000005
【図４】
2011239918.tif 000006